(57)【特許請求の範囲】
【請求項１】
パネル体の端縁に、幅が該パネル体の厚さと同寸法のエッジ材を取付けるためのパネル体におけるエッジ材の位置決め用治具であって、
エッジ材は、幅がパネル体の厚さよりも小さく、ビスを介してパネル体端縁に取付け固定される内エッジと、幅がパネル体の厚さと同寸法で、幅方向内面が内エッジの幅方向外端に摺接する状態で内エッジに被せながら無理嵌め嵌合させることで内エッジに取付けられる外エッジとを備えて構成されるものであり、
位置決め用治具は、幅がパネル体の厚さと同寸法で、幅方向内面が内エッジの幅方向外端に摺接する状態で内エッジに被せるものであり、
パネル体端縁に当てがった状態の内エッジに被せた位置決め用治具を、幅方向外端がパネル体の表裏面に面一状になるようパネル体端縁に当てがうことで内エッジのパネル体に対する位置決めがなされるように構成されていることを特徴とするパネル体におけるエッジ材の位置決め用治具。
【請求項２】
位置決め用治具には、位置決めされた内エッジをビス固定するためのビス貫通孔が設けられていることを特徴とする請求項１記載のパネル体におけるエッジ材の位置決め用治具。
【請求項３】
位置決め用治具の幅方向外端面の少なくとも一方の面には、該位置決め用治具をパネル体端縁に当てがった状態でパネル体表裏面の少なくとも一方の面に当接して位置決め用治具の幅方向端面とパネル体の表裏面とが面一になるよう調整するための調整部材が設けられていることを特徴とする請求項１または２記載のパネル体におけるエッジ材の位置決め用治具。
【請求項４】
位置決め用治具は、無理嵌め嵌合部が内エッジ側の無理嵌め嵌合部とは干渉しないよう処理された外エッジであることを特徴とする請求項１乃至３の何れか１記載のパネル体におけるエッジ材の位置決め用治具。
【請求項５】
パネル体の端縁に、幅が該パネル体の厚さと同寸法のエッジ材を取付けるパネル体におけるエッジ材の取付け方法であって、
エッジ材は、幅がパネル体の厚さよりも小さい内エッジを、ビスを介してパネル体端縁に取付け固定した後、該固定された内エッジに、幅がパネル体の厚さと同寸法で、幅方向内面が内エッジの幅方向外端に摺接する外エッジを被せながら無理嵌め嵌合することで該内エッジに外エッジを取付け固定するように構成するにあたり、
内エッジをパネル体端縁に当てがった状態で、パネル体の厚さと同寸法の幅を備え、幅方向内面が内エッジの幅方向外端縁に摺接する位置決め用治具を内エッジに被せた状態で、該位置決め用治具の幅方向外端とパネル体の表裏面とを面一状にすることで内エッジのパネル体に対する位置決めをした後、位置決め用治具に設けた貫通孔から挿入したビスを内エッジに螺入して内エッジをパネル体に取付け固定し、しかる後、該取付け固定された内エッジに外エッジを被せながら無理嵌め嵌合するようにして取付けることを特徴とするパネル体におけるエッジ材の取付け方法。
【請求項６】
位置決め用治具の幅方向外端面の少なくとも一方の面にパネル体の表裏面側に向けて設けられた調整部材を、パネル体の表裏面の少なくとも一方の面に当接させることにより内エッジのパネル体に対する位置決めを行うことを特徴とする請求項５記載のパネル体におけるエッジ材の取付け方法。
【発明の詳細な説明】
【技術分野】
【０００１】
本発明は、トイレブース等の仕切り部位に設けられるパネル体におけるエッジ材の位置決め用治具及びエッジ材の取付方法の技術分野に関するものである。
【背景技術】
【０００２】
今日、トイレブース等の仕切り部位をパネル体で仕切ることがあるが、このようなパネル体の左右端縁部にエッジ材が取付けられる。このようなエッジ材としては、内エッジをパネル体の端縁にビス止めし、この内エッジに外エッジを無理嵌めする状態で取付け係止するようにしたものが提唱されている（例えば特許文献１参照）。ところがこのものは、内エッジが、パネル体の端縁部に外嵌する脚片を備えた凹陥状になっているため、該内エッジをパネル体に外嵌することで内エッジのパネル体に対する位置決めがなされることとなって、いちいち内エッジのパネル体に対する位置決め作業を必要としないものの、内エッジの脚片がパネル体の表裏面に対して外嵌する構造になるため平滑感が損なわれるという問題がある。
そこで内エッジの幅をパネル体の厚さよりも小さいものとし、この内エッジに、幅をパネル体の厚みと同寸法に設定した外エッジを被せながら無理嵌め嵌合することで組付ける構成にし、これによりエッジ材の幅がパネル体の厚さと同じになるようにして平滑感を発揮するようにしたものが知られている（例えば特許文献２参照）。
【先行技術文献】
【特許文献】
【０００３】
【特許文献１】特開２０１５−３４４１３号公報
【特許文献２】特開平８−１３９４２号公報
【発明の概要】
【発明が解決しようとする課題】
【０００４】
ところが前記エッジ材をパネル体の厚さと同寸法にしたものでは、内エッジをパネル体端縁にビス固定することになるが、このビスが見えないようにするには、外エッジに設けた貫通孔を通してビス固定することが提唱されるが、この場合には貫通孔を塞ぎ部材で塞ぐ必要があり、外観性を損なうだけでなく、塞ぎ部材も必要になって部品点数が増えるという問題がある。
これに対し、予め内エッジをビスを介してパネル体端縁に固定し、しかる後、外エッジを取付けるようにすることが提唱されるが、内エッジの幅がパネル体の厚さよりも小さいものであるため、内エッジをパネル体に対して正確に位置決めした状態で取付けないと、外エッジがパネル体の表裏面に対して凸凹した状態で取付けられて外観性が損なわれ、これがひどいときには組付け不良になってしまうという問題がある。しかしながら内エッジをパネル体端縁に正確に位置決めするため、いちいち定規を当てがう等の作業をすることは煩わしいだけでなく、作業性を損なうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、パネル体の端縁に、幅が該パネル体の厚さと同寸法のエッジ材を取付けるためのパネル体におけるエッジ材の位置決め用治具であって、エッジ材は、幅がパネル体の厚さよりも小さく、ビスを介してパネル体端縁に取付け固定される内エッジと、幅がパネル体の厚さと同寸法で、幅方向内面が内エッジの幅方向外端に摺接する状態で内エッジに被せながら無理嵌め嵌合させることで内エッジに取付けられる外エッジとを備えて構成されるものであり、位置決め用治具は、幅がパネル体の厚さと同寸法で、幅方向内面が内エッジの幅方向外端に摺接する状態で内エッジに被せるものであり、パネル体端縁に当てがった状態の内エッジに被せた位置決め用治具を、幅方向外端がパネル体の表裏面に面一状になるようパネル体端縁に当てがうことで内エッジのパネル体に対する位置決めがなされるように構成されていることを特徴とするパネル体におけるエッジ材の位置決め用治具である。
請求項２の発明は、位置決め用治具には、位置決めされた内エッジをビス固定するためのビス貫通孔が設けられていることを特徴とする請求項１記載のパネル体におけるエッジ材の位置決め用治具である。
請求項３の発明は、位置決め用治具の幅方向外端面の少なくとも一方の面には、該位置決め用治具をパネル体端縁に当てがった状態でパネル体表裏面の少なくとも一方の面に当接して位置決め用治具の幅方向端面とパネル体の表裏面とが面一になるよう調整するための調整部材が設けられていることを特徴とする請求項１または２記載のパネル体におけるエッジ材の位置決め用治具である。
請求項４の発明は、位置決め用治具は、無理嵌め嵌合部が内エッジ側の無理嵌め嵌合部とは干渉しないよう処理された外エッジであることを特徴とする請求項１乃至３の何れか１記載のパネル体におけるエッジ材の位置決め用治具である。
請求項５の発明は、パネル体の端縁に、幅が該パネル体の厚さと同寸法のエッジ材を取付けるパネル体におけるエッジ材の取付け方法であって、エッジ材は、幅がパネル体の厚さよりも小さい内エッジを、ビスを介してパネル体端縁に取付け固定した後、該固定された内エッジに、幅がパネル体の厚さと同寸法で、幅方向内面が内エッジの幅方向外端に摺接する外エッジを被せながら無理嵌め嵌合することで該内エッジに外エッジを取付け固定するように構成するにあたり、内エッジをパネル体端縁に当てがった状態で、パネル体の厚さと同寸法の幅を備え、幅方向内面が内エッジの幅方向外端縁に摺接する位置決め用治具を内エッジに被せた状態で、該位置決め用治具の幅方向外端とパネル体の表裏面とを面一状にすることで内エッジのパネル体に対する位置決めをした後、位置決め用治具に設けた貫通孔から挿入したビスを内エッジに螺入して内エッジをパネル体に取付け固定し、しかる後、該取付け固定された内エッジに外エッジを被せながら無理嵌め嵌合するようにして取付けることを特徴とするパネル体におけるエッジ材の取付け方法である。
請求項６の発明は、位置決め用治具の幅方向外端面の少なくとも一方の面にパネル体の表裏面側に向けて設けられた調整部材を、パネル体の表裏面の少なくとも一方の面に当接させることにより内エッジのパネル体に対する位置決めを行うことを特徴とする請求項５記載のパネル体におけるエッジ材の取付け方法である。
【発明の効果】
【０００６】
請求項１または５の発明とすることにより、エッジ材を、内エッジと外エッジとを備え、内エッジを予めパネル体にビス固定した後、外エッジを内エッジに取付けるように構成されるエッジ材の幅をパネル体の厚さと同寸法にしたものでありながら、内エッジのパネル体端縁に対する位置決めが簡単に行えることになって外観性の優れた精度あるエッジ材の取付けができることになる。
請求項２の発明とすることにより、位置決め用治具で内エッジを位置決めした状態で該内エッジのビス固定ができることになって、作業性が向上する。
請求項３または６の発明とすることにより、内エッジに位置決め用治具を被せた状態で調整部材をパネル体の表裏面に当接することにより簡単に内エッジの位置決めができることになって作業性が向上する。
請求項４の発明とすることにより、外エッジが位置決め用治具として利用できるため、部品の兼用化が図れることになる。
【図面の簡単な説明】
【０００７】
【図１】トイレブースの正面図である。
【図２】トイレブースの平面図である。
【図３】トイレブースの部分水平断面図である。
【図４】（Ａ）（Ｂ）はドアパネル体と正面パネル体の戸先部位、吊元部位の拡大水平断面図である。
【図５】（Ａ）（Ｂ）（Ｃ）は内エッジの正面図、側面図、平面図である。
【図６】（Ａ）（Ｂ）（Ｃ）は外エッジの正面図、側面図、平面図である。
【図７】（Ａ）（Ｂ）は位置決め用治具の縦断面図、平面図である。
【図８】（Ａ）〜（Ｄ）はエッジ材の取付け手順を示す水平断面図である。
【図９】（Ａ）〜（Ｄ）はエッジ材の取付け手順を示す平面図である。
【図１０】（Ａ）（Ｂ）（Ｃ）は第二の実施の形態を示す位置決め用治具の縦断面図、平面図、位置決め状態を示す縦断面図である。
【図１１】（Ａ）（Ｂ）（Ｃ）は第三の実施の形態を示す位置決め用治具の縦断面図、平面図、位置決め状態を示す縦断面図である。
【図１２】（Ａ）（Ｂ）（Ｃ）は第四の実施の形態を示す位置決め用治具の縦断面図、平面図、位置決め状態を示す縦断面図である。
【発明を実施するための形態】
【０００８】
以下、本発明の実施の形態について、図面に基づいて説明する。図面において、１はトイレブースであって、該トイレブース１は、Ｔ字形に組付けられる仕切りパネル体２および正面パネル体３と、隣接する正面パネル体３間に形成される出入り口Ａの開閉をするドアパネル体４を用いて構成されている。そしてドアパネル体４は、図１、２に示す正面図および平面図において、説明上、中央部と右側のものが内開きに構成され、左側のものが外開きに構成されているが、これに限定されるものではなく、全て内開き、外開きとすることができることは勿論であり、またこれらを適宜組合わせたものとしても構成することができる。尚、正面パネル体３との吊元側部位にはヒンジ金具３ａが設けられている。
さらに正面パネル体３は床面Ｆとのあいだに隙間があるが上端部は天井面Ｈまで至るようになっている。またドアパネル体４は、天井面Ｈとのあいだに欄間Ｒスペースが形成されるようになっているが、欄間Ｒは、本実施の形態では、正面視において左側のものが空間になったオープン仕様（汎用仕様）、中央部のものがドアパネル体と同じ厚さの欄間パネル体５が取付けられたパネル仕様、右側のものがガラス板６等の板材が嵌め込まれた板材仕様になっているが、これに限定されるものでなく、これらの組合わせは自由に設定することができる。
【０００９】
そして、正面パネル体３とドアパネル体４との互いに対向する端縁にそれぞれエッジ材７、８、９、１０が取付けられているが、ドアパネル体４の吊元側金具３ａが取付けられるエッジ材１０以外のエッジ材７、８、９は、共通する形状の内エッジ１２、８ａ、９ａに、形状が異なる外エッジ１３、８ｂ、９ｂを外側から被せる状態で無理嵌め嵌合して組付けている。一方、正面パネル体の吊元側エッジ材１０は、幅方向（出入り方向）両側部にフォロー部１０ａが形成され、中央部位が凹溝１０ｂとなっているが、これらエッジ材７、８、９、１０の上端部は何れもドアパネル体４の上端部位までの長さであり、具体的には、ドアパネル体４の上端部を開閉自在に支持するべくエッジ材１０に取付けられるヒンジ金具３ａまでの長さである。そして、ドアパネル体４の吊元側金具７が取付けられるエッジ材１０以外のエッジ材７、８、９が本発明方法を実施して取付けられるが、以降、ドアパネル体４の吊元側のエッジ材７の構造、取付け手順について説明をし、残りのエッジ材８、９についての構造、取付け手順については内エッジ８ａ、９ａの形状は共通し、外エッジ８ｂ、９ｂの形状が異なる以外、同じであるので省略する。
【００１０】
エッジ材７は、ドアパネル体４の吊元端縁４ｂにビス１１を介して取付け固定される内エッジ１２と、該内エッジ１２に無理嵌め嵌合状に取付けられる外エッジ１３とにより構成されるが、内エッジ１２は、幅（ドアパネル体４の厚さ方向の幅）がドアパネル体４の厚さよりも小さいものに設定される平板状の本体１２ａと、該本体１２ａの幅方向（ドアパネル体４の厚さ方向）両端縁において外側（ドアパネル体４とは反対側）に向けて突出した一対の脚片１２ｂと、該脚片１２ｂよりも幅方向内側に位置して本体１２ａから外側に向けて突出した一対の係止片１２ｃと、幅方向中央部（ドアパネル体４の厚さ方向中央部）において本体１２ａが外側に向いて肉厚になっていてビス１１を螺入できるビス螺入部１２ｄとを備えて構成されるが、係止片１２ｃには係止凹溝１２ｅが形成されており、この係止片１２ｃと係止凹溝１２ｅにより本発明の内エッジ１２側の無理嵌め嵌合部を構成している。尚、ビス螺入部１２ｄに形成されるビス孔１２ｇは本実施の形態では予め形成されているが、ビス螺入時に形成してもよい。またビス螺入部１２ｄには、ドアパネル体４のパネル厚中心となる位置に溝状のマーク１２ｈが形成されている。
【００１１】
一方、外エッジ１３は、ドアパネル体４の左右方向外側に向けて円弧状に膨らみ、幅がドアパネル体４の厚みと一致する寸法（同寸法）設定となった本体１３ａと、該本体１３ａの幅方向両端縁から内側（ドアパネル体４側）に向けて突出した一対の脚片１３ｂと、該脚片１３ｂよりも幅方向内側に位置して内側に向けて突出した一対の係止受け片１３ｃとを備えて構成される。
さらに外エッジ１３は、前記ビス１１を介してドアパネル体４の端縁４ｂに取付けられた内エッジ１２に対し、脚片１３ａの幅方向内面１３ｅが、内エッジ脚片１２ｂの幅方向外端縁１２ｆに摺接する寸法設定になっている。
そしてビス１１を介してドアパネル体４の端縁４ｂに固定した内エッジ１２に、外エッジ１３を被せるようにして脚片１３ｂの先端１３ｆがドアパネル体４の端縁４ｂに当接させるべく押しやると、係止受け片１３ｃに設けた係止凸部１３ｄが、内エッジ１２の係止片１２ｃに無理嵌め状に嵌合して係止凹溝１２ｅに係止し、これにより外エッジ１３の内エッジ１２への取付け固定ができるようになっており、この係止受け片１３ｃと係止凸部１３ｄが本発明の外エッジ１３側の無理嵌め嵌合部を構成している。
【００１２】
次にこのように内エッジ１２に外エッジ１３を取付け固定する場合に、内エッジ１２のドアパネル体４に対する位置決め固定の手順について説明する。１４は位置決め用治具であって、該位置決め用治具１４は、本実施の形態では外エッジ１３を用いて形成されているが、外エッジ１３の係止受け片１３ｃに相当する片１４ｃを幅方向内側に折曲し、これにより位置決め治具１４は、外エッジ１３の内エッジ１２に対する取付け状態と同じ状態にしたときに、片１４ｃが内エッジ１２の係止片１２ｃと干渉することがないように設定されている。さらに位置決め用治具１４の本体１４ａには、内エッジ１２のビス挿入部１２ｄが臨める（視認できる）ように貫通孔１４ｈが形成されている。尚、本実施の形態では位置決め用治具１４は、片１４ｃを折曲したものを用いているが、片１４ｃを切除したもの、あるいは係止凸部１４ｄを切除したもの等、内エッジの係止片１２ｃに干渉しないようにしたものであれば本発明の位置決め用治具として採用することができる。
また位置決め用治具１４としては、本実施の形態ではエッジ材７用の外エッジ１３を用いて構成しているが、他のエッジ材８、９においても内エッジの形状は同じであるので、これらの外エッジ８ｂ、９ｂを利用しても実施することができることは言うまでもない。
【００１３】
そして内エッジ１２をドアパネル体４の端縁４ｂに当てがった状態で、位置決め用治具１４を内エッジ１２に被せ、脚片１４ｂの幅方向内面１４ｅを内エッジ１２の幅方向外端１２ｆに摺接させると共に、脚片１４ｂの先端１４ｆをドアパネル体４の端縁４ｂに当接させた状態で脚片１４ｂの幅方向外端１４ｇがドアパネル体４の表裏面４ａと面一状になるよう調整することで内エッジ１２のドアパネル体４に対する位置決めができるが、この面一状の確認は、目視する、作業者の指で触診する（図８はこの状態を描いている。）、あるいは板を当てる等して脚片１４ｂの幅方向外端１４ｇがドアパネル体４の表裏面４ａと面一状になっているか否かの確認をしてもよく、このように面一状になっていることが確認できたら、貫通孔１４ｈからビス１１をビス螺入部１２ｄをめがけて挿入し、該挿入したビス１１をビス螺入部１２ｄに螺入する。この場合に、片１４ｃは内エッジの係止片１２ｃに干渉しないので、位置決め用治具１４の組込み及び取外しが容易となる。
このようにして内エッジ１２のドアパネル体４に対するビス固定が終了した後、位置決め用治具１４を取外し、外エッジ１３を内エッジ１２に無理嵌め嵌合することでエッジ材７のよく位置決めされた組立てが完了する。
【００１４】
叙述の如く構成された本発明の実施の形態において、ドアパネル体４の端縁に、ドアパネル体４の厚さと同寸法のエッジ材７を設けるにあたり、まずドアパネル体４の端縁に、幅がドアパネル体４の厚みよりも小さい内エッジ１２をビス１１を介して取付け固定し、その後、ドアパネル体７の厚さと同寸法の外エッジを、前記取り付けられた内エッジ１２に被せる状態で無理嵌め嵌合して取付けることになるが、この場合、内エッジ１２は、位置決め用治具１４によりドアパネル体４に対して位置決めされることになる。つまり、位置決め用治具１４は、幅がドアパネル体４の厚さと同寸法で、脚片１４ｂの幅方向内面１４ｅが内エッジ１２の幅方向外端縁１２ｆに摺接する状態で内エッジ１２に被せることになるが、ドアパネル体４の端縁４ｂに当てがった状態の内エッジ１２に被せた位置決め用治具１４を、幅方向外端１４ｇがドアパネル体４の表裏面４ａに面一状になるようドアパネル体４の端縁４ｂに当てがい調整をすることで内エッジ１２のドアパネル体４に対する位置決めがなされる。この結果、内エッジ１２のドアパネル体４に対する位置決めが簡単でありながら正確にできることになる。
【００１５】
そしてこのように正確に位置決めされた内エッジ１２に対し、位置決め用治具１４に設けた貫通孔１４ｈからビス１１を螺入することで、内エッジ１２はドアパネル４の端縁４ｂに位置決めされた状態で取付け固定されることになる。
【００１６】
しかも位置決め用治具１４は、係合受け片１４ｃが内エッジ１２の係合片１２ｃに干渉しないよう曲げ処理された外エッジ１３で形成されているため、部品の兼用化が達成され、部品点数の少ないものとなる。
【００１７】
尚、本発明は前記実施の形態に限定されないものであることは勿論であって、図１０に示す第二の実施の形態のようにしても実施することができる。このものは、本実施の形態では用いられていない他のエッジ材の外エッジ１５を利用して位置決め用治具１５としたものであって、平板状の本体１５ａの幅方向両端縁に脚片１５ｂが設けられ、該脚片１５ｂの幅方向内面１５ｅが内エッジ１２の脚片１２ｂの幅方向外端縁１２ｆに摺接する構成になっている。このものには、本体１５ａおよび一方の脚片１５ｂの外面にＬ字形をした調整部材１７を設けたものであり、該調整部材１７には、脚片１５ｂの先端より長く延出した脚片１７ａが設けられている。
そしてこのものを用いて内側エッジ１２を位置決めするには、内エッジ１２をドアパネル体４の端縁に載置し、位置決め用治具１５の脚片１５ｂをドアパネル体４の何れか一方の表裏面４ａに当てがった状態で、幅方向内面１５ｅを、内エッジ１２の幅方向外端縁１２ｆに外嵌するよう当接させることで内エッジ１２の位置決めができ、この状態で位置決め用治具１５および調整部材１７に設けた貫通孔１５ｈ、１７ｂからビス１１を螺入して内エッジ１２をドアパネル体４に固定することで、内エッジ１２の正確に位置決めされた固定が簡単にできることになる。
この場合に位置決め治具１５は、調整部材脚片１７ａによるドアパネル体４に対する支持ができるため、脚片１５ｂの先端１５ｆがドアパネル体４の端縁に当接するまで押し込む必要がないから、前記位置決めされた状態で係止受け片１５ｃに設けられる係止凸部１５ｄが内エッジ係止凹溝１２ｅに嵌合係止することがなく、この結果、係止受け片１５ｃを折曲して係止片１２ｃに干渉しないように配慮する必要がない。
さらにこの場合、ドアパネル体４の厚さに誤差がある場合、調整部材１７の脚片１７ａの内面に粘着テープ等の調整材１７ｃを貼着する等することで誤差吸収ができることになって都合が良い。
【００１８】
さらに本発明は、図１１に示す第三の実施の形態とすることもできるが、このものでは、外エッジ８ｂを位置決め用治具１６として用いている。そしてこのものでは調整部材１８が貫通孔１６ｈにまで至らないものに構成している。このものでは、前記第二の実施の形態と同様、脚片１６ｂから延びる調整部材１８をドアパネル体表裏面４ａに当接する状態で貫通孔１６ｈからビス１１を螺入することで内エッジ１２のドアパネル体４に対する位置決め固定ができることになる。
そしてこのものも、第二の実施の形態と同様、脚片１６ｂの先端がドアパネル体４の端縁に当接しない状態での位置決めができ、このため、係止片１６ｃを第一の実施の形態のように折曲するような必要がない。
【００１９】
また本発明は、図１２に示す第四の実施の形態のようにしても実施することができる。このものは前記第二の実施の形態の外エッジ１５を用いて位置決め用治具を形成しているが、外エッジ１５の脚片１５ｂに平板状の調整部材１９を固定したものであって、調整部材１９をドアパネル体表裏面４ａに当接した状態でビス１１を貫通孔１５ｈから螺入することで内エッジ１２のドアパネル体４への位置決め固定ができることになる。
【００２０】
また、本発明を実施する場合に、位置決め用治具としては、ビスを貫通する貫通孔がないものでも実施することができるが、この場合、エッジ材を取付けるパネル体の端縁を上向きの姿勢にし、位置決め用治具で内エッジの位置決めをした後、位置決め用治具を取外し、しかる後、前記位置決めされた内エッジをビス固定することになる。
【産業上の利用可能性】
【００２１】
本発明は、トイレブース等の仕切り部材を構成するパネル体におけるエッジ材の位置決め用治具及びエッジ材の取付け方法として利用することができる。
【符号の説明】
【００２２】
１  トイレブース
４  ドアパネル体
４ａ  表裏面
４ｂ  端縁
７  エッジ材
１１  ビス
１２  内エッジ
１２ｃ  係止片
１２ｅ  係止凹溝
１２ｆ  幅方向外端縁
１３  外エッジ
１３ｂ  脚片
１３ｃ  係止受け片
１３ｄ  係止凸部
１３ｅ  幅方向内面
１３ｆ  脚片先端
１４  位置決め用治具
１４ｂ  脚片
１４ｅ  幅方向内面
１４ｆ  脚片先端
１４ｇ  幅方向外端
１４ｈ  貫通孔
１５、１６  位置決め用治具
１７、１８  調整部材
１７ｂ  脚片
【図１】
0006633951.tif 000002
【図２】
0006633951.tif 000003
【図３】
0006633951.tif 000004
【図４】
0006633951.tif 000005
【図５】
0006633951.tif 000006
【図６】
0006633951.tif 000007
【図７】
0006633951.tif 000008
【図８】
0006633951.tif 000009
【図９】
0006633951.tif 000010
【図１０】
0006633951.tif 000011
【図１１】
0006633951.tif 000012
【図１２】
0006633951.tif 000013